(57)【要約】【課題】電動モータ及びスクリーンの設備を不要とし、水路用除塵装置の構造簡略化、設備コスト、ランニングコストの低減化、メンテナンスの容易化を図る。【解決手段】水車３と、ドラム型の除塵機本体４と、動力伝達手段５とを備える。除塵機本体４は流水路２に水車３の回転軸６と平行に架設されて回転自在な回転駆動軸９と、この回転駆動軸９上に一体的に取り付けられた左右一対の回転側板１０，１０と、両回転側板１０，１０間の外周側に周方向に所定間隔置きに複数枚取り付けられたレーキ１１とを備えている。動力伝達手段５は、水車３の回転力を水車３の回転方向と反対方向に変えて回転駆動軸９に伝達する逆転機構２０を備える。除塵機本体４の回転に伴いレーキ１１で流水路２を流れる塵芥を掬い捕獲する。【選択図】図１
2011084871.tif 000002
【特許請求の範囲】
【請求項１】
流水路内に設置され該流水路の水力で回転軸回りに回転駆動する水車と、前記流水路を流れる塵芥を捕獲するドラム型の除塵機本体と、前記水車の回転力を前記除塵機本体に伝達して該除塵機本体を回転駆動させる動力伝達手段とを備えており、
前記除塵機本体は前記流水路に前記水車の回転軸と平行に架設されて回転自在な回転駆動軸と、この回転駆動軸上に一体的に取り付けられた左右一対の回転側板と、両回転側板間の外周側に周方向に取り付けられたレーキとを備えており、
前記動力伝達手段は、前記水車の回転力を該水車の回転方向と反対方向に変えて前記除塵機本体の回転駆動軸に伝達する逆転機構を備えており、
前記除塵機本体の回転に伴い前記レーキで前記流水路を流れる塵芥を掬い捕獲するように構成してあることを特徴とする水路用除塵装置。
【請求項２】
前記逆転機構は、前記水車の回転軸に固設した駆動プーリと、前記除塵機本体に前記回転駆動軸と平行に配備した逆転軸と、この逆転軸に固設した従動プーリと、前記駆動プーリと前記従動プーリにけさ掛けした巻き掛け伝動部材と、前記回転駆動軸に固設された駆動ギヤと、前記逆転軸に固設され前記駆動ギヤと噛合した逆転ギヤを備える、請求項１記載の水路用除塵装置。
【発明の詳細な説明】
【技術分野】
【０００１】
本発明は流水路内の塵芥を除去する水路用除塵装置に関する。
【背景技術】
【０００２】
従来、この種の水路用除塵装置として、たとえば、流水路の中に流れに対し傾斜させて設置されたスクリーンにより流水路を流れる塵芥を捕捉し、捕捉した塵芥を電動モータによりスクリーンの水路上流側の面（前面）に沿って上下方向に駆動循環する無端状チェーン及びレーキを備えた除塵機であるレーキ式掻上げコンベアのレーキにより掻上げ、該レーキの上昇端付近の下方に設けた塵芥受槽内に落下させて流水路内から除去するように構成されたものがある（例えば、特許文献１〜３参照。）。
【先行技術文献】
【特許文献】
【０００３】
【特許文献１】特開２００１−５９２１５号公報
【特許文献２】特開２００２−２０６２２８号公報
【特許文献３】特開２００６−３４８５２４号公報
【発明の概要】
【発明が解決しようとする課題】
【０００４】
しかしながら、上記のような水路用除塵装置では、スクリーンをレーキ式掻上げコンベア（除塵機本体）に内蔵するか、または独立したスクリーンをレーキ式掻上げコンベアの背面側に設置する必要があるため、スクリーンの設備費とメンテナンスが煩雑になる問題がある。また、レーキ式掻上げコンベアを駆動循環させるための電動モータが使用されているが、電動モータは電源を必要とし、本装置の設置場所近くに電源が無いような場合には電気配線が必要となり、あるいは発電機を備えたりしなければならず、また電動モータを駆動させるために電気代が必要で、ランニングコストがかかる等の問題があった。
【０００５】
本発明は、このような問題を解決するためになされたものであって、その目的とするところは、水車を流水路に設置し流水路の水力で水車を回転させ、その回転力で掻上げ装置を駆動させるようにして電動モータを不要とし、また掻上げ装置の流水路上流側に面した前面側のレーキで水路を流れる塵芥を掻上げて除去できるようにしてスクリーンの設備を不要とし、水路用除塵装置の構造簡略化、設備コスト、ランニングコストの低減化、メンテナンスの容易化を図れる水路用除塵装置を提供することにある。
【課題を解決するための手段】
【０００６】
本発明の水路用除塵装置は、請求項１に記載のように、その発明の内容を理解しやすくするために図１〜図４に示した符号を参照して説明すると、流水路２内に設置され流水路２の水力で回転軸６回りに回転駆動する水車３と、流水路２を流れる塵芥を捕獲するドラム型の除塵機本体４と、水車３の回転力を除塵機本体４に伝達して該除塵機本体４を回転駆動させる動力伝達手段５とを備えており、
除塵機本体４は流水路２に水車３の回転軸６と平行に架設されて回転自在な回転駆動軸９と、この回転駆動軸９上に一体的に取り付けられた左右一対の回転側板１０，１０と、両回転側板１０，１０間の外周側に周方向に取り付けられたレーキ１１とを備えており、
動力伝達手段５は、水車３の回転力を水車３の回転方向と反対方向に変えて除塵機本体４の回転駆動軸９に伝達する逆転機構２０を備えており、
除塵機本体４の回転に伴いレーキ１１で流水路２を流れる塵芥を掬い捕獲するように構成してあることに特徴を有するものである。
【０００７】
上記構成の水路用除塵装置によれば、流水路２の水力により水車３を回転させ、その回転力で動力伝達手段５を介して除塵機本体４を回転駆動軸９回りに回転駆動するので、本装置の設置にあたり電動モータや電源、電気配線を不要とする。また、水車３の回転方向と反対方向に回転する除塵機本体４の回転に伴いレーキ１１で流水路２を流れる塵芥を掬い捕獲するので、従来のようにスクリーンで流水路２を流れる塵芥を捕捉する必要がなくなる。
【０００８】
請求項１記載の水路用除塵装置は、請求項２に記載のように、逆転機構２０が、水車３の回転軸６に固設した駆動プーリ１７と、除塵機本体４に回転駆動軸９と平行に配備した逆転軸１５と、逆転軸１５に固設した従動プーリ１８と、駆動プーリ１７と従動プーリ１８にけさ掛けした巻き掛け伝動部材１９と、回転駆動軸９に固設された駆動ギヤ１４と、逆転軸１５に固設され駆動ギヤ１４と噛合した逆転ギヤ１６を備えるという構成を採用することができる。これによると、除塵機本体４の回転駆動軸９を水車３の回転方向（矢印Ａ方向）と反対方向（矢印Ｂ方向）に確実に回転させることができる。
【発明の効果】
【０００９】
本発明によれば、動力源に電動モータを不要とし、またスクリーンの設備を不要とするので、水路用除塵装置の構造簡略化、設備コスト、ランニングコストの低減化、メンテナンスの容易化を図ることができるという利点がある。
【図面の簡単な説明】
【００１０】
【図１】本発明の一実施例に係る水路用除塵装置を一部破断して示す側面図である。
【図２】図１の水路用除塵装置に用いる逆転機構の一例の一部を示す側面図である。
【図３】図１の水路用除塵装置に使用するレーキの一例を示すもので、（ａ）は側面図、（ｂ）は平面図である。
【図４】他の実施例に係る水路用除塵装置を一部破断して示す側面図である。
【発明を実施するための形態】
【００１１】
本発明の好適な実施形態を図面に基づき説明する。
【００１２】
図１、図２において、本発明の一実施例に係る水路用除塵装置１は、流水路２の流水を回転駆動源とする水車３と、この水車３の水路上流側に設置され、流水路２を流れる塵芥を捕捉するドラム型の除塵機本体４と、水車３の回転力を除塵機本体４に伝達して該除塵機本体４を回転駆動させる動力伝達手段５とを備えている。
【００１３】
水車３は、流水路２の左右両側に設けられた図外の軸受間に回転自在に架設された回転軸６と、この回転軸６上に一体的に取り付けられた左右一対の回転板７，７と、両回転板７，７間の外周側に周方向に所定間隔置きに複数枚取り付けられた羽根８とを備えている。この水車３は、流水路２内にそのほぼ下半分を浸漬させた状態で設置され、羽根８が流水の力を受けると、この力を回転板７，７を介して回転軸６に伝え矢印Ａ方向に回転駆動させ流水エネルギーを回転駆動力に変換するようになっている。
【００１４】
ドラム型の除塵機本体４は流水路２の左右両側に設けられた図外の軸受間に水車３の回転軸６と平行に架設された回転駆動軸９と、この回転駆動軸９上に一体的に取り付けられた左右一対の回転側板１０，１０と、両回転側板１０，１０間の外周側に周方向に所定間隔置きに複数枚取り付けられたレーキ１１とを備えている。この除塵機本体４は、水車３と同様に、流水路２内にそのほぼ下半分を浸漬させた状態で設置される。
【００１５】
レーキ１１は、例えば、図３（ａ），（ｂ）に示すように、格子状に形成され水抜穴１２を有する四辺形の水平面部１１ａと、この水平面部１１ａの一辺に折曲連設された傾斜面部１１ｂとで断面「へ」の字形状に形成されている。除塵機本体４の矢印Ａ方向の回転に伴い、レーキ１１は水平面部１１ａで流水路２内を流れる塵芥を掬い捕獲し、傾斜面部１１ｂで水平面部１１ａ上に捕獲された塵芥が除塵機本体４の内部中心方向へ移動落下するのを阻止する。除塵機本体４の上流側及び下流側もしくはその一方にはレーキ１１から落下する捕獲塵芥を受け入れて回収する塵芥受槽１３を設置している。
【００１６】
動力伝達手段５は、図１、図２に示すように、除塵機本体４の回転駆動軸９上に固設した駆動ギヤ１４と、除塵機本体４に回転駆動軸９と平行に配備した逆転軸１５と、この逆転軸１５上に固設され駆動ギヤ１４と噛合した逆転ギヤ１６と、水車３の回転軸６の一端に固設した駆動プーリ１７と、除塵機本体４の逆転軸１５上に固設した従動プーリ１８にけさ掛けしたチェーンやベルト等の巻き掛け伝動部材１９とを備える。水車３の回転軸６に固設した駆動プーリ１７と、除塵機本体４に回転駆動軸９と平行に配備した逆転軸１５と、逆転軸１５に固設した従動プーリ１８と、駆動プーリ１７と従動プーリ１８にけさ掛けした巻き掛け伝動部材１９と、回転駆動軸９に固設された駆動ギヤ１４と、逆転軸１５に固設され駆動ギヤ１４と噛合した逆転ギヤ１６により逆転機構２０を構成している。したがって、動力伝達手段５は逆転機構２０を介して除塵機本体４の回転駆動軸９を水車３の回転方向（矢印Ａ方向）と反対方向（矢印Ｂ方向）に回転させるようにしている。
【００１７】
次に、上記構成の水路用除塵装置１の動作について説明する。
流水路２の流水により水車３が回転すると、回転軸６が矢印Ａ方向に回転駆動され、この回転軸６の回転駆動力が巻き掛け伝動部材１９を介して逆転軸１５に伝達される。逆転軸１５は回転駆動力を逆転ギヤ１６、駆動ギヤ１４を介して除塵機本体４の回転駆動軸９に伝達する。回転駆動軸９が回転駆動されると、除塵機本体４が矢印Ｂ方向に回転駆動され、レーキ１１で流水路２を流れる塵芥Ｔを掬い捕獲し、流水路２の水面より上方へ移動するレーキ１１上の捕獲塵芥Ｔは該レーキ１１上を滑って塵芥受槽１３に自重落下する。
【００１８】
このように流水路２の水力により水車３を回転させ、その回転力で除塵機本体４を回転駆動軸９回りに回転駆動するので、電動モータや電源、電気配線を不要とする。また、水車３の回転方向と反対方向に回転する除塵機本体４の回転に伴いレーキ１１で流水路２を流れる塵芥Ｔを掬い捕獲するので、従来のようにスクリーンで流水路２を流れる塵芥を捕捉する必要がなくなる。
【００１９】
上記実施例では、逆転機構２０が、水車３の回転軸６に固設した駆動プーリ１７と、除塵機本体４に回転駆動軸９と平行に配備した逆転軸１５と、逆転軸１５に固設した従動プーリ１８と、駆動プーリ１７と従動プーリ１８にけさ掛けした巻き掛け伝動部材１９と、回転駆動軸９に固設された駆動ギヤ１４と、逆転軸１５に固設された逆転ギヤ１６により構成されているが、これに限定されない。そのほかに、逆転機構２０は、例えば、図４に示すように、水車３の回転軸６に固設した駆動プーリ１７と、除塵機本体４の回転駆動軸９に固設した従動プーリ１８に巻き掛け伝動部材１９をたすき掛けしたものを採用することにより、除塵機本体４の回転駆動軸９を水車３の回転方向（矢印Ａ方向）と反対方向（矢印Ｂ方向）に回転させることもできる。
【００２０】
上記実施例では水車３の水路下流側に除塵機本体４を配備するが、それとは逆に水車３の水路上流側に除塵機本体４を配備するもよい。
【符号の説明】
【００２１】
１  水路用除塵装置
２  流水路
３  水車
４  除塵機本体
５  動力伝達手段
６  回転軸
９  回転駆動軸
１０  回転側板
１１  レーキ
１４  駆動ギヤ
１５  逆転軸
１６  逆転ギヤ
１７  駆動プーリ  
１８  従動プーリ
１９  巻き掛け伝動部材
２０  逆転機構
【図１】
2011084871.tif 000003
【図２】
2011084871.tif 000004
【図３】
2011084871.tif 000005
【図４】
2011084871.tif 000006